(57)【要約】【課題】隣合う外壁面材の下端部に段差が生じている建物の見栄えが悪くなることを抑制し、且つ汎用性を高めることができる外壁化粧材及び土台水切を得る。【解決手段】外壁化粧材３２は、固定部材３４と、被覆部材３６と、伸縮部材３８とを有する。固定部材３４は、建物１０の高さ方向と直交する直交方向に並ぶ複数の外壁面材２４に対して、高さ方向における下側に配置され、外壁面材２４が取付けられる外壁フレーム２２に固定される。被覆部材３６は、高さ方向及び直交方向と直交する内外方向において固定部材３４よりも外側に配置され、内外方向から見た場合に外壁面材２４の下端部２５を覆う。伸縮部材３８は、固定部材３４と被覆部材３６とを内外方向に連結し且つ内外方向に伸縮可能とされている。【選択図】図１
2020128678.tif 000002
【特許請求の範囲】
【請求項１】
建物の高さ方向と直交する直交方向に並ぶ複数の外壁面材に対して、該高さ方向における下側に配置され、該外壁面材が取付けられる下地部に固定される固定部と、
前記高さ方向及び前記直交方向と直交する内外方向において前記固定部よりも外側に配置され、該内外方向から見た場合に前記外壁面材の下端部を覆う被覆部と、
前記固定部と前記被覆部とを前記内外方向に連結し且つ前記内外方向に伸縮可能とされた伸縮部と、
を有する外壁化粧材。
【請求項２】
前記伸縮部は、前記内外方向に弾性変形可能な弾性部材を有する請求項１に記載の外壁化粧材。
【請求項３】
前記弾性部材は、前記直交方向に間隔をあけて複数配置されている請求項２に記載の外壁化粧材。
【請求項４】
請求項１から請求項３のいずれか１項に記載の外壁化粧材であって、前記固定部に被係合部が形成された前記外壁化粧材と、
前記被係合部と係合される係合部を有し、前記高さ方向における前記外壁化粧材よりも下側で且つ前記内外方向における前記建物の基礎外周部よりも外側に配置された水切本体部と、
を有する土台水切。
【請求項５】
前記水切本体部は、前記内外方向において前記被係合部から前記外壁化粧材よりも外側まで延びる延在部を有する請求項４に記載の土台水切。
【請求項６】
前記水切本体部は、前記係合部が形成された内側壁と、該内側壁に対して前記内外方向の外側に配置され、前記内外方向から見た場合に前記内側壁を覆う外側壁と、を有する請求項４又は請求項５に記載の土台水切。
【発明の詳細な説明】
【技術分野】
【０００１】
本発明は、外壁化粧材及び土台水切に関する。
【背景技術】
【０００２】
特許文献１には、基礎外周部と外壁面材との間を覆う土台水切本体部と、土台水切本体部の上部に土台水切本体部と一体的に設けられると共に外壁面材の下端部に当接された土台水切上端部とを有する構造が開示されている。
【先行技術文献】
【特許文献】
【０００３】
【特許文献１】特開２０１５−２１８５０５号公報
【発明の概要】
【発明が解決しようとする課題】
【０００４】
ところで、特許文献１の外壁面材周辺部の構造では、内外方向の外側（屋外側）から見た場合に、外壁面材の下端が露出されている。このため、隣合う外壁面材の下端部に段差が生じている場合には、この段差が視認されることになるので、建物の見栄えが悪くなる。
【０００５】
また、特許文献１のように、予め決まった大きさの部材を外壁面材に接触させる構成では、外壁面材の厚さが変更された場合に、外壁面材の大きさに合わせて部材を交換しなければならない可能性がある。換言すると、外壁面材に接触させる部材の汎用性が低い。
【０００６】
つまり、隣合う外壁面材の下端部に段差が生じている建物において見栄えが悪くなることを抑制し、且つ汎用性を高めるには、改善の余地がある。
【０００７】
本発明は、隣合う外壁面材の下端部に段差が生じている建物の見栄えが悪くなることを抑制し、且つ汎用性を高めることができる外壁化粧材及び土台水切を得ることが目的である。
【課題を解決するための手段】
【０００８】
第１態様に係る外壁化粧材は、建物の高さ方向と直交する直交方向に並ぶ複数の外壁面材に対して、該高さ方向における下側に配置され、該外壁面材が取付けられる下地部に固定される固定部と、前記高さ方向及び前記直交方向と直交する内外方向において前記固定部よりも外側に配置され、該内外方向から見た場合に前記外壁面材の下端部を覆う被覆部と、前記固定部と前記被覆部とを前記内外方向に連結し且つ前記内外方向に伸縮可能とされた伸縮部と、を有する。
【０００９】
第１態様に係る外壁化粧材では、固定部が下地部に固定されることで、外壁化粧材が下地部に固定される。外壁化粧材が下地部に固定された状態では、内外方向から見た場合に、被覆部が外壁面材の下端部を覆う。これにより、隣合う外壁面材の下端部に段差が生じている場合に、この段差が被覆部によって覆われるので、建物の見栄えが悪くなることを抑制することができる。
【００１０】
さらに、第１態様に係る外壁化粧材では、伸縮部が内外方向に伸縮可能となっている。これにより、外壁面材の厚さが変更された場合に、外壁面材の厚さに合わせて伸縮部が伸縮されることで、被覆部の位置が変更され且つ被覆部と外壁面材とが密着される。このように、１つの外壁化粧材において伸縮部が伸縮されることで、外壁面材の厚さに合わせて異なる厚さの外壁化粧材を製造する必要が無くなるので、外壁化粧材の汎用性を高めることができる。まとめると、第１態様に係る外壁化粧材では、隣合う外壁面材の下端部に段差が生じている建物の見栄えが悪くなることを抑制し、且つ外壁化粧材の汎用性を高めることができる。
【００１１】
第２態様に係る外壁化粧材の前記伸縮部は、前記内外方向に弾性変形可能な弾性部材を有する。
【００１２】
第２態様に係る外壁化粧材では、厚い外壁面材が用いられ、固定部に対して被覆部が離れる側に変位された場合には、弾性部材が内外方向に引張り状態となることで、被覆部に対して、固定部に近づける側の引張力が作用する。これにより、外壁面材の厚さが変更された場合に、外壁面材と被覆部との接触状態が確保されるので、外壁面材の下端部をさらに視認され難くすることができる。
【００１３】
第３態様に係る外壁化粧材の前記弾性部材は、前記直交方向に間隔をあけて複数配置されている。
【００１４】
第３態様に係る外壁化粧材では、複数の弾性部材が直交方向に間隔をあけて配置されていることで、隣合う弾性部材の間には空間が形成されている。このため、固定部と被覆部との間において、直交方向全体に亘って１つの弾性部材が設けられた構成に比べて、個々の弾性部材が弾性変形され易くなる。これにより、直交方向に並んだ外壁面材の厚さが直交方向において異なる場合に、外壁面材の厚さに合わせて、直交方向に対する被覆部の配置方向の傾きを調整し易くすることができる。
【００１５】
第４態様に係る土台水切は、第１態様から第３態様のいずれか１つに記載の外壁化粧材であって、前記固定部に被係合部が形成された前記外壁化粧材と、前記被係合部と係合される係合部を有し、前記高さ方向における前記外壁化粧材よりも下側で且つ前記内外方向における前記建物の基礎外周部よりも外側に配置された水切本体部と、を有する。
【００１６】
第４態様に係る土台水切では、下地部に固定された固定部の被係合部に対して、水切本体部の係合部が係合されることで、土台水切が下地部に取付けられる。このように、水切本体部を下地部に取付ける場合に、係合部と被係合部とを係合させればよいので、締結部材を用いて水切本体部を下地部に締結する構成に比べて、土台水切の取付けの施工性を高めることができる。
【００１７】
第５態様に係る土台水切の前記水切本体部は、前記内外方向において前記被係合部から前記外壁化粧材よりも外側まで延びる延在部を有する。
【００１８】
第５態様に係る土台水切では、水切本体部の延在部が、内外方向において外壁化粧材よりも外側まで延びている。ここで、延在部は、被覆部よりも下側において延在されているので、被覆部が高さ方向において下がるようなことがあった場合に、延剤部で被覆部を支持することができる。
【００１９】
第６態様に係る土台水切の前記水切本体部は、前記係合部が形成された内側壁と、該内側壁に対して前記内外方向の外側に配置され、前記内外方向から見た場合に前記内側壁を覆う外側壁と、を有する。
【００２０】
第６態様に係る土台水切では、内外方向から見た場合に、外側壁が内側壁を覆う。換言すると、内外方向から見た場合の外側壁の面積が、内側壁の面積よりも大きくなっている。そして、内側壁と外側壁は、水切本体部として一体となっている。このため、内側壁に外力を作用させることで係合部と被係合部とを係合させる場合において、内側壁の面積が小さく、外力を作用させ難い状態であっても、面積の大きい外側壁に外力を加えれば、係合部に外力を作用させることができる。このように、外側壁を有することで、係合部に大きな外力を作用させることができる。
【発明の効果】
【００２１】
以上説明したように、本発明では、隣合う外壁面材の下端部に段差が生じている建物の見栄えが悪くなることを抑制し、且つ汎用性を高めることができる外壁化粧材及び土台水切を得ることができる。
【図面の簡単な説明】
【００２２】
【図１】本実施形態に係る土台水切が適用された建物の一部を示す拡大断面図である。
【図２】本実施形態に係る土台水切及び建物の一部を示す斜視図である。
【図３】図１に示された外壁化粧材の断面図である。
【図４】図１に示された水切本体部の断面図である。
【図５Ａ】図３に示された外壁化粧材を外壁フレームに固定した状態を示す拡大断面図である。
【図５Ｂ】図５Ａに示された外壁化粧材に図４に示された水切本体部を取付けた状態を示す拡大断面図である。
【図６Ａ】図１に示された建物の隣合う外壁面材を示す正面図である。
【図６Ｂ】図６Ａに示された外壁面材の段差が外壁化粧材によって覆われた状態を示す正面図である。
【図７Ａ】図６Ａに示された外壁面材に対する下側に外壁化粧材が配置された状態を示す拡大断面図である。
【図７Ｂ】図７Ａに示された外壁面材よりも厚い他の外壁面材に対する下側に外壁化粧材が配置された状態を示す拡大断面図である。
【図８】第１変形例に係る土台水切及び建物の一部を示す斜視図である。
【図９Ａ】第２変形例に係る外壁化粧材の一部の拡大断面図である。
【図９Ｂ】第３変形例に係る外壁化粧材の一部の拡大断面図である。
【図９Ｃ】第４変形例に係る外壁化粧材の一部の拡大断面図である。
【発明を実施するための形態】
【００２３】
本実施形態に係る外壁化粧材及び土台水切の一例について説明する。
【００２４】
〔全体構成〕
図１に示される建物１０は、図示されない地盤に設けられた基礎１２と、基礎１２の上方に設けられた躯体フレーム１４と、躯体フレーム１４に取付けられた外壁パネル２０と、防鼠網２８と、土台水切３０とを含んで構成されている。
【００２５】
以後の説明では、建物１０の高さ方向をＺ方向と称する。また、建物１０の内外方向で且つ外壁パネル２０の厚さ方向となる方向であり、Ｚ方向と直交する方向をＹ方向と称する。さらに、Ｙ方向及びＺ方向のそれぞれと直交する直交方向であり、基礎１２が延在された方向をＸ方向と称する。Ｙ方向における建物外側、建物内側については、単に外側、内側と称する。
【００２６】
基礎１２の外側面には断熱材１３が設けられている。躯体フレーム１４は、図示されない柱及び天井梁と、床大梁１８とを含んで構成されている。なお、Ｚ方向から見た場合に基礎１２の外周部分を構成する部位を、基礎外周部１５と称する。
【００２７】
＜外壁パネル＞
外壁パネル２０は、下地部の一例としての外壁フレーム２２と、外壁フレーム２２に取付けられる外壁面材２４とを含んで構成されている。
【００２８】
（外壁フレーム）
外壁フレーム２２は、Ｘ方向に延在され且つＸ方向から見た場合の断面形状が逆Ｕ字状を成す部材である。具体的には、外壁フレーム２２は、Ｘ方向から見た場合に、Ｚ方向に直立する内壁部２２Ａと、内壁部２２ＡのＺ方向上端からＹ方向の外側へ延びる上壁部２２Ｂと、上壁部２２Ｂの外端からＺ方向の下側へ延びる外壁部２２Ｃとを有する。
【００２９】
内壁部２２Ａには、ボルト１９Ａの軸部のみが挿通可能な貫通孔１８Ａが形成されている。また、内壁部２２Ａは、ボルト１９Ａ及びナット１９Ｂを用いて、床大梁１８に締結されている。外壁部２２Ｃは、ネジ２３とビス２６とがＹ方向に締結（ねじ込み）可能に形成されている。外壁部２２Ｃには、後述する外壁面材２４がＹ方向に取付けられる。
【００３０】
（外壁面材）
図２に示される外壁面材２４は、一例として、Ｙ方向を厚さ方向とする板状の窯業系サイディングより成る。外壁面材２４の外形は、Ｙ方向から見た場合に、Ｘ方向に短く且つＺ方向に長い矩形状とされている。また、外壁面材２４は、Ｘ方向に並んで複数設けられている。外壁面材２４は、ネジ２３（図１参照）を用いて、外壁部２２ＣにＹ方向の外側から締結されている。
【００３１】
以後の説明では、Ｘ方向に隣合う１組（２つ）の外壁面材２４について、一方側を外壁面材２４Ａと称し、他方側を外壁面材２４Ｂと称して区別する場合がある。また、外壁面材２４ＡのＺ方向の下端となる面を下端面２７Ａと称し、外壁面材２４ＢのＺ方向の下端となる面を下端面２７Ｂと称して区別する場合がある。区別が不要な場合は、単に、外壁面材２４、下端面２７と称する。
【００３２】
外壁面材２４Ａと外壁面材２４Ｂとは、Ｘ方向に接触（密着）されている。なお、外壁面材２４Ａと、外壁面材２４Ｂとは、外壁フレーム２２に対して別々に取付けられる。このため、取付作業において生じる位置ずれによって、下端面２７Ａと下端面２７Ｂとの間に、Ｚ方向の高さが異なることによる段差２９（図６Ａ参照）が生じる可能性がある。以後の説明において、外壁面材２４の下端部２５とは、外壁面材２４のうち下端面２７Ａ及び下端面２７Ｂを含み、且つ段差２９を形成している部分を意味する。
【００３３】
防鼠網２８は、Ｙ方向の外側（屋外側）から見た場合に、外壁部２２Ｃの下端部と基礎１２との間を覆うように設けられている。防鼠網２８の上端部は、外壁部２２Ｃに対して、ビス２６（図１参照）を用いて、後述する固定部材３４と共締めされている。
【００３４】
〔要部構成〕
次に、土台水切３０について説明する。
【００３５】
図２に示される土台水切３０は、一例として、外壁化粧材３２と、水切本体部５２とを有する。なお、本実施形態では、一例として、外壁化粧材３２及び水切本体部５２がＸ方向にそれぞれ複数設けられているが、１組の外壁化粧材３２及び水切本体部５２のみ図示されている。
【００３６】
＜外壁化粧材＞
図１に示される外壁化粧材３２は、Ｘ方向に長い部材である。１つの外壁化粧材３２のＸ方向の長さは、一例として、外壁面材２４のＸ方向の長さよりも長い。また、外壁化粧材３２は、外壁面材２４に対して、Ｚ方向における下側に配置され、外壁フレーム２２に固定される。具体的には、外壁化粧材３２は、外壁フレーム２２に固定される固定部材３４と、Ｙ方向から見た場合に外壁面材２４の下端部２５を覆う被覆部材３６と、固定部材３４と被覆部材３６とをＹ方向に連結する伸縮部材３８とを有する。
【００３７】
（固定部材）
図３に示される固定部材３４は、固定部の一例である。また、固定部材３４は、Ｘ方向から見た場合に、一例として、縦壁４２と、傾斜壁４３と、下壁４４と、上壁４５と、被係合部４６とを有する。縦壁４２と、傾斜壁４３と、下壁４４と、上壁４５と、被係合部４６とは、一例として、一体成形されており、Ｘ方向の長さが同じになっている。つまり、固定部材３４は、Ｘ方向に長い１つの部材として形成されている。また、固定部材３４は、一例として、アルミニウム製とされている。
【００３８】
縦壁４２は、Ｙ方向を厚さ方向とする板状に形成されており、Ｘ方向から見た場合に、Ｚ方向に延びている。縦壁４２のＺ方向の高さに相当する長さは、ビス２６（図１参照）の頭部の外径に相当する長さよりも長い。また、縦壁４２は、Ｙ方向から見た場合に、Ｘ方向に長くＺ方向に短い矩形状に形成されている。縦壁４２のＸ方向の長さは、外壁面材２４（図１参照）のＸ方向の長さよりも長い。さらに、縦壁４２のＹ方向内側の側面は、Ｘ−Ｚ面に沿った平面とされている。これにより、縦壁４２の側面と外壁部２２Ｃ（図１参照）とが面接触されるようになっている。
【００３９】
縦壁４２のＺ方向中央部には、縦壁４２をＹ方向に貫通する締結孔４９が形成されている。締結孔４９は、Ｘ方向に間隔をあけて複数形成されている。また、締結孔４９は、Ｙ方向から見た場合に円形に形成されている。締結孔４９の大きさは、ビス２６（図１参照）の軸部をねじ込み可能な大きさとされている。
【００４０】
傾斜壁４３は、Ｘ方向から見た場合に、縦壁４２の下端から、Ｚ方向の下端部が上端部よりもＹ方向外側に位置するように斜め方向に傾斜された部位である。傾斜壁４３は、防鼠網２８（図１参照）との干渉を抑制するために形成されている。
【００４１】
下壁４４は、Ｚ方向を厚さ方向とする板状に形成されており、Ｘ方向から見た場合に、傾斜壁４３の下端部からＹ方向に沿って外側へ延びている。下壁４４のＹ方向の長さは、一例として、外壁面材２４（図１参照）のＹ方向の長さの半分程度とされている。
【００４２】
上壁４５は、Ｚ方向を厚さ方向とする板状に形成されており、Ｘ方向から見た場合に、縦壁４２の上端部からＹ方向に沿って外側へ延びている。上壁４５のＹ方向の長さは、一例として、下壁４４のＹ方向の長さと同程度とされている。上壁４５の上面は、Ｘ−Ｙ面に沿った平面とされており、下端面２７（図１参照）とＺ方向に面接触可能とされている。なお、縦壁４２のＹ方向の内側端から上壁４５のＹ方向の外側端までのＹ方向の長さをＬ１〔ｍｍ〕とする。また、下壁４４の上面に対する上壁４５の下面のＺ方向の高さをｈ１〔ｍｍ〕とする。
【００４３】
被係合部４６は、固定部材３４に形成されている。具体的には、被係合部４６は、Ｘ方向から見た場合に、下壁４４の上面の一部からＺ方向に直立された下側縦壁４７と、上壁４５の下面の一部からＺ方向下側へ延びる上側縦壁４８とを有する。下側縦壁４７及び上側縦壁４８は、形状及び大きさが揃えられている。下側縦壁４７及び上側縦壁４８は、Ｘ方向に延びている。下側縦壁４７及び上側縦壁４８の形状は、Ｘ方向から見た場合にＹ方向に短くＺ方向に長い矩形状とされている。また、下側縦壁４７及び上側縦壁４８のＸ方向の両端部は、Ｚ方向に繋がれている。
【００４４】
下側縦壁４７と上側縦壁４８とは、Ｚ方向に間隔をあけて対向配置されている。下側縦壁４７と上側縦壁４８との間隔の大きさは、Ｙ方向から見た場合に、ビス２６（図１参照）の最外径の大きさよりも大きい。また、下側縦壁４７及び上側縦壁４８は、縦壁４２とＹ方向に間隔をあけて対向配置されている。下側縦壁４７及び上側縦壁４８と、縦壁４２とのＹ方向の間隔の大きさは、ビス２６の頭部のＹ方向の大きさよりも大きい。
【００４５】
（被覆部材）
被覆部材３６は、被覆部の一例である。また、被覆部材３６は、Ｙ方向において固定部材３４よりも外側に配置されている。さらに、被覆部材３６は、Ｘ方向から見た場合にＬ字状の断面形状を有し、Ｘ方向に延びている。具体的には、被覆部材３６は、Ｘ方向から見た場合に、Ｚ方向を厚さ方向とする板状の横壁３７と、Ｙ方向を厚さ方向とする板状の見切壁３９とが一体化された１つの部材として形成されている。また、被覆部材３６は、一例として、アルミニウム製とされている。
【００４６】
横壁３７は、上壁４５と同程度の厚さを有している。横壁３７のＺ方向上面の高さと、上壁４５のＺ方向上面の高さとは、ほぼ同じ高さとなるように揃えられている。横壁３７において、Ｙ方向の内側端から見切壁３９までのＹ方向の長さをＬ２〔ｍｍ〕とする。Ｌ２＜Ｌ１となっている。
【００４７】
見切壁３９は、横壁３７のＹ方向の外側端部からＺ方向の上側に向けて直立されている。また、見切壁３９は、横壁３７と同程度の厚さを有している。見切壁３９のＺ方向の高さｈ２〔ｍｍ〕は、Ｙ方向の外側から見切壁３９及び外壁パネル２０（図６Ｂ参照）を見た場合に、段差２９（図６Ｂ参照）がＹ方向の外側から覆われるように設定されている。換言すると、被覆部材３６は、Ｙ方向から見た場合に、外壁面材２４の下端部２５を覆うように形成されている。
【００４８】
高さｈ２に相当する長さは、一例として、既述の長さＬ２よりも長く且つ既述の長さＬ１よりも短い長さとされている。見切壁３９のＹ方向内側の側面は、Ｘ−Ｚ面に沿った平面とされており、外壁面材２４（図１参照）と面接触が可能とされている。
【００４９】
（伸縮部材）
図２に示される伸縮部材３８は、伸縮部の一例である。具体的には、伸縮部材３８は、弾性部材の一例として、シリコーンゴム製の複数のゴム板４１を有する。複数のゴム板４１は、Ｘ方向に間隔をあけて配置されている。なお、複数のゴム板４１のそれぞれは同様の構成とされている。このため、以後の説明では、単に「ゴム板４１」と称する。
【００５０】
図３に示されるゴム板４１は、Ｚ方向を厚さ方向とする板状に形成されている。ゴム板４１の形状は、Ｚ方向から見た場合に、一例として、Ｘ方向に短く且つＹ方向に長い矩形状に形成されている。ゴム板４１の厚さは、一例として、上壁４５の厚さ又は横壁３７の厚さと同程度の厚さとされている。ゴム板４１のＺ方向の上面の高さは、一例として、上壁４５の上面の高さ及び横壁３７の上面の高さと揃えられている。
【００５１】
ゴム板４１のＹ方向の内側端面は、一例として、図示されない接着剤を用いて、上壁４５のＹ方向の外側端面に接着（固定）されている。ゴム板４１のＹ方向の外側端面は、一例として、図示されない接着剤を用いて、横壁３７のＹ方向の内側端面に接着（固定）されている。そして、ゴム板４１は、Ｙ方向に弾性変形可能に形成されている。このように、ゴム板４１は、Ｙ方向に弾性変形されることで、上壁４５に対する横壁３７のＹ方向の相対的な位置を変更可能に構成されている。換言すると、伸縮部材３８は、固定部材３４と被覆部材３６とをＹ方向に連結し、且つ伸縮部材３８自体をＹ方向に伸縮可能とされている。
【００５２】
ゴム板４１の大きさ及び配置は、ゴム板４１がＹ方向に伸縮可能で、且つゴム板４１が見切壁３９のＺ方向に対する傾きを抑制可能に保持するように、予め設定されている。ゴム板４１のＹ方向の内側端から外側端までの自然長（弾性変形されていない状態での長さ）をＬ３〔ｍｍ〕とする。また、ゴム板４１が自然長状態から伸ばされた場合、又は、ゴム板４１がある程度伸ばされた状態から縮められた場合において、ゴム板４１のＹ方向の内側端から外側端までの長さをＬ４〔ｍｍ〕とする。
【００５３】
ここで、各部材が交換されない場合において、既述の長さＬ１及び長さＬ２は一定であるが、長さＬ４は、設定された範囲内において可変となっている。つまり、ゴム板４１がＹ方向に伸縮されることで、Ｙ方向の合計長さＬＳ〔ｍｍ〕＝Ｌ１＋Ｌ２＋Ｌ４が可変となっている。
【００５４】
なお、伸縮部材３８が伸ばされることとは、ゴム板４１が自然長から伸ばされることを意味する。また、伸縮部材３８が縮められることとは、ゴム板４１が自然長からある程度の長さに伸ばされた後で、この長さよりも短い長さで伸ばされた状態にされることを意味する。このように、外壁化粧材３２は、外壁面材２４（図１参照）の厚さが変更された場合に、外壁面材２４のＹ方向の厚さに合わせて伸縮部材３８がＹ方向に伸縮されることで、厚さが異なる複数種類の外壁面材２４への使用が可能となっている。
【００５５】
＜水切本体部＞
図１に示される水切本体部５２は、Ｚ方向における外壁化粧材３２よりも下側で且つＹ方向における基礎外周部１５よりも外側に配置されている。具体的には、水切本体部５２は、一例として、内側壁５３と、係合部６０と、上壁５４と、外側壁５５と、横壁５６と、下側壁５７と、下壁５８と、被取付部５９とを有する。
【００５６】
図４に示される内側壁５３は、Ｙ方向を厚さ方向とする板状に形成されている。内側壁５３のＺ方向の高さｈ３〔ｍｍ〕は、既述の高さｈ１（図３参照）よりも僅かに低い高さとされている。これにより、内側壁５３は、Ｚ方向に真っすぐな状態で、下壁４４と上壁４５（図３参照）との間に、被係合部４６に向けてＹ方向の外側から挿入可能となっている。また、内側壁５３の下端部は、下側縦壁４７（図３参照）に対してＹ方向の外側から接触されるようになっている。内側壁５３の上端部は、上側縦壁４８（図３参照）に対してＹ方向の外側から接触されるようになっている。内側壁５３のＹ方向の内側面には、後述する係合部６０が形成されている。
【００５７】
上壁５４は、延在部の一例である。上壁５４は、Ｚ方向を厚さ方向とする板状に形成されている。Ｘ方向から見た場合に、上壁５４は、縦壁４２の上端部からＹ方向に沿って外側へ延びている。換言すると、上壁５４は、Ｙ方向において係合部６０から外壁化粧材３２（図１参照）よりも外側まで延びている。具体的には、上壁５４は、Ｘ方向から見た場合に、内側壁５３の上端よりも僅かに下側で且つＹ方向の外側となる部位から、Ｙ方向に沿って外側に向けて延在されている。上壁５４のＹ方向の長さは、固定部材３４（図３参照）に水切本体部５２を取付けた場合に、上壁５４のＹ方向の外側部分が見切壁３９（図３参照）に対してＹ方向の外側に配置されるように、予め設定されている。
【００５８】
外側壁５５は、Ｙ方向を厚さ方向とする板状に形成されている。また、外側壁５５は、Ｘ方向から見た場合に、上壁５４のＹ方向の外側端部からＹ方向の下側に向けて延びている。さらに、外側壁５５は、Ｙ方向から見た場合に、Ｘ方向に長くＺ方向に短い矩形状に形成されている。加えて、外側壁５５は、内側壁５３に対してＹ方向の外側に配置され、Ｙ方向から見た場合に、内側壁５３を覆っている。換言すると、外側壁５５をＹ方向に投影した場合に、内側壁５３は、外側壁５５の領域の内側に配置されている。Ｙ方向から見た場合に、外側壁５５の面積は、内側壁５３の面積よりも大きい。
【００５９】
横壁５６は、外側壁５５のＺ方向の下端よりも僅かに上側の部位からＹ方向の内側へ向けて延びている。横壁５６のＹ方向の長さは、上壁５４のＹ方向の長さの１／３よりも短い。
【００６０】
下側壁５７は、Ｙ方向を厚さ方向とする板状に形成されている。また、下側壁５７は、Ｘ方向から見た場合に、横壁５６のＹ方向の内側端部からＹ方向の下側に向けて延びている。下壁５８は、下側壁５７のＺ方向の下端よりも僅かに上側の部位からＹ方向の内側へ向けて延びている。下壁５８のＹ方向の長さは、横壁５６のＹ方向の長さよりも長く、上壁５４のＹ方向の長さよりも短い。下壁５８のＹ方向の内側端部は、下側に向けて屈曲されている。
【００６１】
被取付部５９は、一例として、下壁５８の上面からＺ方向の上側に向けて直立する立上部５９Ａと、上壁５４の下面から下側に向けて突出された突出部５９Ｂとを有する。立上部５９Ａは、Ｘ方向から見た場合に、Ｙ方向に比べてＺ方向に長い略矩形状に形成されている。また、立上部５９Ａは、下側壁５７と共にＺ方向の上側に向けて開口する略Ｕ字状の断面を形成している。
【００６２】
突出部５９Ｂは、Ｘ方向から見た場合に、逆Ｌ字状に形成されている。また、突出部５９Ｂは、上壁５４と共にＹ方向の外側に向けて開口する略Ｕ字状の断面を形成している。ここで、Ｘ方向に隣合う２つの水切本体部５２は、ジョイナ（繋ぎ材）５１によって接続される。
【００６３】
ジョイナ５１は、一例として、Ｘ方向から見た場合に、水切本体部５２の一部の断面形状と略相似形に形成されている。また、ジョイナ５１は、水切本体部５２のＹ方向の内側面且つＺ方向の下面に沿って配置されている。そして、ジョイナ５１のＺ方向の下端部は、下側壁５７と立上部５９Ａとの間に差込まれ、ジョイナ５１のＺ方向の上端部は、上壁５４と突出部５９Ｂとの間に差込まれるようになっている。
【００６４】
（係合部）
係合部６０は、被係合部４６（図３参照）と係合される部位である。具体的には、係合部６０は、一例として、Ｘ方向から見た場合に、内側壁５３のＺ方向の下部からＹ方向の内側へ延びる下側爪部６２と、内側壁５３のＺ方向の上部からＹ方向の内側へ延びる上側爪部６４とを有する。下側爪部６２及び上側爪部６４は、形状及び大きさが揃えられている。また、下側爪部６２及び上側爪部６４は、いずれもＺ方向を厚さ方向とする板状に形成されており、Ｘ方向に延びている。
【００６５】
下側爪部６２のＹ方向の内側部分は、外側部分に対してＺ方向の上側に向けて屈曲されている。この屈曲部分には、上側に向けて突出された突出部が形成されている。上側爪部６４のＹ方向の内側部分は、外側部分に対してＺ方向の下側に向けて屈曲されている。この屈曲部分には、下側に向けて突出された突出部が形成されている。
【００６６】
下側爪部６２と上側爪部６４とは、Ｚ方向に間隔をあけて対向配置されている。また、下側爪部６２と上側爪部６４とは、内側壁５３のＺ方向の中央に対して、上下に対称に配置されている。Ｘ方向から見た場合に、下側爪部６２の最下端となる部位から、上側爪部６４の最上端となる部位までの高さに相当する長さは、下側縦壁４７と上側縦壁４８（図３参照）とのＺ方向の間隔に相当する長さよりも僅かに長い。これにより、水切本体部５２にＹ方向の外側から内側へ向かう外力が作用された場合に、下側爪部６２及び上側爪部６４が下側縦壁４７及び上側縦壁４８をＹ方向の内側へ越えることで、係合部６０と被係合部４６（図３参照）とが係合されるようになっている。
【００６７】
〔作用〕
次に、本実施形態に係る外壁化粧材３２及び土台水切３０の作用について説明する。
【００６８】
図５Ａに示されるように、ネジ２３を用いて、外壁面材２４が外壁フレーム２２に取付けられる。なお、外壁面材２４は、Ｘ方向に互いに接触した状態で複数並べられ、外壁フレーム２２に取付けられる。外壁面材２４のＹ方向の厚さをＴ１〔ｍｍ〕とする。
【００６９】
図６Ａに示される外壁面材２４Ａと、外壁面材２４Ｂとは、外壁フレーム２２（図５Ａ参照）に対して別々に取付けられている。このため、取付作業において生じる位置ずれによって、下端面２７Ａと下端面２７Ｂとの間に段差２９が生じる場合がある。
【００７０】
続いて、図５Ａに示されるように、防鼠網２８の上部が外壁フレーム２２に対してＹ方向の外側から押当てられた状態で、縦壁４２が、防鼠網２８に対してＹ方向の外側から押当てられる。このとき、上壁５４は外壁面材２４の下端面２７と接触されている。被覆部材３６は、外壁面材２４のＹ方向外側の下端部２５を、Ｙ方向の外側から覆っている。この状態で、ビス２６を用いて、縦壁４２及び防鼠網２８が外壁フレーム２２に共締めされることで、外壁化粧材３２が外壁フレーム２２に固定される。
【００７１】
図６Ｂに示されるように、下端面２７Ａと下端面２７Ｂとの間に段差２９が生じていたとしても、Ｙ方向外側から見た場合に、外壁化粧材３２（被覆部材３６）が下端部２５を覆うので、段差２９が視認されなくなる。これにより、建物１０の見栄えが悪くなることが抑制される。
【００７２】
図７Ａに示されるように、外壁面材２４のＹ方向の厚さがＴ１〔ｍｍ〕であり、外壁化粧材３２の合計長さＬＳ＝Ｔ１であったとする。さらに、上壁５４、ゴム板４１、横壁３７及び見切壁３９が、外壁面材２４と接触していたとする。
【００７３】
ここで、図７Ｂに示されるように、他の建物に使用され、あるいは、設計変更等の理由により交換される外壁面材７２のＹ方向の厚さがＴ２〔ｍｍ〕（Ｔ２＞Ｔ１）であったとする。この場合に、外壁化粧材３２を外壁フレーム２２（図１参照）に固定することで、ゴム板４１がＹ方向に弾性変形される（伸びる）。このため、見切壁３９のＺ方向の高さ位置をほぼ維持した状態で、見切壁３９をＹ方向にスライドさせることができるので、外壁化粧材３２が下端部２５を覆う状態を保持することができる。
【００７４】
続いて、図５Ｂに示される被係合部４６と係合部６０とがＹ方向に並んだ状態で、水切本体部５２の外側壁５５に対して、図示されないハンマーにより外力Ｆが加えられる。これにより、係合部６０が被係合部４６と係合される。具体的には、下側爪部６２及び上側爪部６４（図４参照）が、下側縦壁４７と上側縦壁４８（図３参照）との間へＹ方向の外側から挿入される。そして、下側縦壁４７及び上側縦壁４８が、内側壁５３と接触される。これにより、水切本体部５２が外壁化粧材３２に固定され、土台水切３０が完成する。土台水切３０では、雨水等の水切りが行われる。
【００７５】
以上、説明したように、外壁化粧材３２では、固定部材３４が外壁フレーム２２に固定されることで、外壁化粧材３２が外壁フレーム２２に固定される。外壁化粧材３２が外壁フレーム２２に固定された状態では、Ｙ方向から見た場合に、被覆部材３６が外壁面材２４の下端部２５を覆う。これにより、隣合う外壁面材２４の下端部２５に段差２９（図６Ｂ参照）が生じている場合に、段差２９が被覆部材３６によって覆われるので、建物１０の見栄えが悪くなること（段差２９が露出されたままとなること）を抑制することができる。
【００７６】
さらに、外壁化粧材３２では、伸縮部材３８がＹ方向に伸縮可能となっている。これにより、外壁面材２４の厚さＴが変更された場合に、厚さＴに合わせて伸縮部材３８が伸縮されることで、被覆部材３６の位置が変更され且つ被覆部材３６と外壁面材２４とが密着される。このように、１つの外壁化粧材３２において伸縮部材３８が伸縮されることで、外壁面材２４の厚さＴに合わせて異なる厚さの外壁化粧材３２を製造する必要が無くなるので、外壁化粧材３２の汎用性を高めることができる。まとめると、外壁化粧材３２では、隣合う外壁面材２４の下端部２５に段差２９が生じている建物１０の見栄えが悪くなることを抑制し、且つ外壁化粧材３２の汎用性を高めることができる。なお、本実施形態における「汎用性」とは、外壁化粧材３２が、厚さの異なる複数種類の外壁面材２４に対して利用可能となることを意味する。
【００７７】
また、外壁化粧材３２では、比較的厚い外壁面材２４が用いられ且つ固定部材３４に対して被覆部材３６が離れる側に変位された場合には、ゴム板４１がＹ方向に引張り状態となることで、被覆部材３６に対して、固定部材３４に近づける側の引張力が作用する。これにより、外壁面材２４の厚さＴが変更された場合に、外壁面材２４と被覆部材３６との接触状態が確保されるので、外壁面材２４の下端部２５をさらに視認され難くすることができる。
【００７８】
さらに、外壁化粧材３２では、複数のゴム板４１がＸ方向に間隔をあけて配置されていることで、隣合うゴム板４１の間には空間が形成されている。このため、固定部材３４と被覆部材３６との間において、Ｘ方向全体に亘って１つのゴム板４１が設けられた構成に比べて、個々のゴム板４１が弾性変形され易くなる。これにより、Ｘ方向に並んだ外壁面材２４の厚さＴがＸ方向において異なる場合に、外壁面材２４の厚さＴに合わせて、Ｘ方向に対する被覆部材３６の配置方向の傾きを調整し易くすることができる。
【００７９】
土台水切３０では、外壁フレーム２２に固定された固定部材３４の被係合部４６に対して、水切本体部５２の係合部６０が係合されることで、土台水切３０が外壁フレーム２２に取付けられる。このように、水切本体部５２を外壁フレーム２２に取付ける場合に、係合部６０と被係合部４６とを係合させればよいので、締結部材を用いて水切本体部５２を外壁フレーム２２に締結する構成に比べて、土台水切３０の取付けの施工性を高めることができる。
【００８０】
また、土台水切３０では、水切本体部５２の上壁５４が、Ｙ方向において外壁化粧材３２よりも外側まで延びている。ここで、上壁５４は、被覆部材３６よりも下側において延在されているので、被覆部材３６がＺ方向において下がるようなことがあった場合に、上壁５４で被覆部材３６を支持することができる。
【００８１】
さらに、土台水切３０では、Ｙ方向から見た場合に、外側壁５５が内側壁５３を覆う。換言すると、Ｙ方向から見た場合の外側壁５５の面積が、内側壁５３の面積よりも大きくなっている。そして、内側壁５３と外側壁５５は、水切本体部５２として一体となっている。このため、内側壁５３に外力を作用させることで係合部６０と被係合部４６とを係合させる場合において、内側壁５３の面積が小さく、外力を作用させ難い状態であっても、面積の大きい外側壁５５に外力を加えれば、係合部６０に外力を作用させることができる。このように、外側壁５５を有することで、係合部６０に大きな外力を作用させることができる。
【００８２】
なお、本発明は上記の実施形態に限定されない。
【００８３】
＜第１変形例＞
図８には、第１変形例としての外壁化粧材８０が示されている。外壁化粧材８０は、外壁化粧材３２（図１参照）において、ゴム板４１（図３参照）に代えて、伸縮部及び弾性部材の一例としてのゴム板８２を有している。ゴム板８２は、固定部材３４のＸ方向の長さと、被覆部材３６のＸ方向の長さとに合わせて、Ｘ方向に長い１つの部材として形成されている。また、ゴム板８２は、少なくともＹ方向に弾性変形可能とされている。このように、複数のゴム板４１ではなく、１つのゴム板８２を用いてもよい。１つのゴム板８２を用いることで、被覆部材３６のＺ方向の高さ位置を維持し易くなる。
【００８４】
＜第２変形例＞
図１に示される外壁化粧材３２において、伸縮部材３８がゴム板４１に代えて他の部材を有していてもよい。図９Ａに示されるように、外壁化粧材３２において、固定部材３４と被覆部材３６とが、Ｙ方向に伸縮可能とされたバネ部材８４で連結されていてもよい。バネ部材８４は、伸縮部及び弾性部材の一例である。例えば、固定部材３４及び被覆部材３６のＹ方向の対向する部位に、図示されない引掛部を形成しておき、この引掛部にバネ部材８４のＹ方向の両端部を嵌めることで、バネ部材８４を取付けてもよい。
【００８５】
＜第３変形例＞
図９Ｂに示されるように、外壁化粧材３２において、固定部材３４と被覆部材３６とが、Ｙ方向に伸縮可能とされた蛇腹部材８６で連結されていてもよい。蛇腹部材８６は、伸縮部及び弾性部材の一例である。蛇腹部材８６は、ゴム製、樹脂製のいずれであってもよい。蛇腹部材８６を用いることで、ゴム板４１を用いる場合に比べて、Ｙ方向における伸縮部が縮められる側（固定部材３４に対して被覆部材３６が近付く側）の変形をさせ易くなる。蛇腹部材８６のＹ方向の両端部は、固定部材３４及び被覆部材３６に接着又は嵌込みによって取付けられてもよい。
【００８６】
＜第４変形例＞
図９Ｃに示されるように、外壁化粧材３２において、固定部材３４と被覆部材３６とが、Ｙ方向に伸縮可能とされた伸縮棒８８で連結されていてもよい。伸縮棒８８は、伸縮部の一例である。また、伸縮棒８８は、金属製、樹脂製のいずれであってもよい。伸縮棒８８は、一例として、外径が異なる３つの円筒部材８８Ａ、円筒部材８８Ｂ及び円筒部材８８Ｃが、中心軸がＹ方向に沿った同軸となるように配置され、且つ図示されない抜止めによって互いの離脱が規制された部材として構成されている。伸縮棒８８のＹ方向の両端部は、固定部材３４及び被覆部材３６に接着又は嵌込みによって取付けられてもよい。
【００８７】
＜他の変形例＞
外壁化粧材３２において、被係合部４６に係合されるのは、水切本体部５２に限らず、キャップ部材であってもよい。外壁化粧材３２を外壁フレーム２２に固定した後で、Ｘ方向に長く且つ係合部６０を有するキャップ部材を用いて、被係合部４６に係合部６０を係合させることで、ビス２６を覆ってもよい。また、ビス２６の露出が、建物１０の見栄えとして問題とならない場合は、キャップ部材を用いなくてもよい。
【００８８】
土台水切３０において、上壁５４は、外壁化粧材３２よりも外側まで延びていなくてもよい。例えば、外側壁５５は、外壁面材２４に対する下側に配置されていてもよい。また、土台水切３０において、Ｙ方向から見た場合に、外側壁５５が内側壁５３に対して下側に配置されていてもよい。つまり、外側壁５５は、Ｙ方向から見た場合に、内側壁５３を覆っていなくてもよい。
【００８９】
水切本体部５２は、ジョイナ５１によって接続される複数のものに限らず、１つの部材として構成されていてもよい。換言すると、水切本体部５２には、被取付部５９が形成されていなくてもよい。
【００９０】
外壁化粧材３２と防鼠網２８は、外壁フレーム２２に対して別々に固定されてもよい。外壁化粧材３２を外壁フレーム２２に固定する手段は、ビス２６に限らず、ボルト及びナット等の他の締結手段や、釘、接着剤等であってもよい。また、外壁フレーム２２にＹ方向に貫通する貫通孔をあけておき、外壁化粧材３２の縦壁４２に突起を設けて、この突起を外壁フレーム２２の貫通孔に圧入させることで、外壁フレーム２２に外壁化粧材３２を固定してもよい。外壁化粧材３２の上壁５４、ゴム板４１及び横壁３７は、下端面２７と接触しなくてもよい。
【００９１】
横壁３７の厚さ、ゴム板４１の厚さ及び上壁５４の厚さは、それぞれ異なっていてもよい。縦壁４２の厚さ、上壁５４の厚さ及び下壁４４の厚さは、それぞれ異なっていてもよい。
【００９２】
長さＬ１、Ｌ２、Ｌ３、Ｌ４、高さｈ１、ｈ２、ｈ３等の各値は、既述の大小関係に当てはまる値に限らず、異なる大きさの値であってもよい。
【符号の説明】
【００９３】
１０  建物
１５  基礎外周部
２２  外壁フレーム（下地部の一例）
２４  外壁面材
３０  土台水切
３２  外壁化粧材
３４  固定部材（固定部の一例）
３６  被覆部材（被覆部の一例）
３８  伸縮部材（伸縮部の一例）
４１  ゴム板（弾性部材の一例）
４６  被係合部
５２  水切本体部
５３  内側壁
５４  上壁（延在部の一例）
５５  外側壁
６０  係合部
８０  外壁化粧材
８２  ゴム板（伸縮部及び弾性部材の一例）
８４  バネ部材（伸縮部及び弾性部材の一例）
８６  蛇腹部材（伸縮部及び弾性部材の一例）
８８  伸縮棒（伸縮部の一例）
【図１】
2020128678.tif 000003
【図２】
2020128678.tif 000004
【図３】
2020128678.tif 000005
【図４】
2020128678.tif 000006
【図５Ａ】
2020128678.tif 000007
【図５Ｂ】
2020128678.tif 000008
【図６Ａ】
2020128678.tif 000009
【図６Ｂ】
2020128678.tif 000010
【図７Ａ】
2020128678.tif 000011
【図７Ｂ】
2020128678.tif 000012
【図８】
2020128678.tif 000013
【図９Ａ】
2020128678.tif 000014
【図９Ｂ】
2020128678.tif 000015
【図９Ｃ】
2020128678.tif 000016